(57)【要約】【課題】電力増幅器が故障した場合でも励振器へのフィードバック信号の変動を回避して、励振器の非線形歪み補償を確実に実行させる。【解決手段】放送信号を２系統の電力増幅器で増幅して合成出力する場合に、フィードバック信号生成部６０において、各増幅器の増幅信号１，２を取り込み、両信号の有無を監視して、いずれも正常に入力されるときは各増幅信号１，２を減衰器６３−１，６３−２に導き、信号のレベルを１／２に減少した後、合成器６４で合成して、フィードバック信号として励振器１０に出力する。増幅信号１，２の一方がダウンすると、正常に入力される増幅信号のみを伝送線６２−１または６２−２を通じて導出し、フィードバック信号として励振器１０に出力する。このようにして、増幅信号１，２のいずれか一方がダウンした場合でも、正常時と同じ特性のフィードバック信号を励振器１０に出力し、フィードバック信号の変動を回避する。【選択図】      図２
2009118433.tif 000002
【特許請求の範囲】
【請求項１】
放送信号にフィードバック信号に応じた非線形歪み補償を施す励振器と、
前記励振器から出力される放送信号をＮ（Ｎは２以上の自然数）系統に分配する分配器と、
前記Ｎ系統に分配された放送信号をそれぞれ同一利得で増幅するＮ個の増幅器と、
前記Ｎ個の増幅器から出力される放送信号を合成して出力する合成器と、
前記Ｎ個の増幅器の出力をそれぞれ１／Ｎに減衰し合成して前記フィードバック信号として前記励振器に出力するフィードバック信号生成手段と
を具備し、
前記フィードバック信号生成手段は、前記Ｎ個の増幅器それぞれの出力状態を監視し、いずれかの出力に異常を検知したとき、前記合成出力に代わって正常出力の１系統のみを前記フィードバック信号として出力することを特徴とする放送用送信装置。
【請求項２】
前記フィードバック信号生成手段は、
前記Ｎ個の増幅器の出力をそれぞれ１／Ｎに減衰し合成出力する主経路と、
前記Ｎ個の増幅器それぞれの出力を前記主経路とは分岐して個別に伝送するＮ個の副経路と、
前記主経路及びＮ個の副経路の中からいずれか１経路を選択してその経路の信号を前記フィードバック信号として出力する切替器と、
前記Ｎ個の増幅器それぞれの出力状態を監視して全て正常の場合には前記切替器に前記主経路を選択させ、いずれかの増幅器の出力に異常が生じた場合には前記切替器に前記副経路を選択させる制御部と
を備えることを特徴とする請求項１記載の放送用送信装置。
【発明の詳細な説明】
【技術分野】
【０００１】
本発明は、例えばテレビジョン放送信号の送信に用いられる放送用送信装置に関する。
【背景技術】
【０００２】
従来から、放送信号を電力増幅器で増幅させて出力する放送用送信装置にあっては、電力増幅器の持つ非線形歪みを補償するために、電力増幅器の前段にエキサイタと称される励振器が設けられている。この励振器は、電力増幅器の出力をフィーバック信号として入力し、放送信号にフィードバック信号に応じた非線形歪み補償を施すもので、この励振器の出力を電力増幅器に入力することで、当該増幅器から非線形歪み補償された信号が出力されるようになされている。（例えば、特許文献１参照。）。
【０００３】
ここで、放送用送信装置では、電力変換効率、増幅器コストを考慮して、利得の大きい増幅器を単体で使用するよりも、利得はそれほど大きくはない増幅器を複数用いて合成出力する構成とすることが一般的である。このように複数の増幅器を用いている場合には、上記励振器から出力される放送信号を複数の増幅器に分配し、各増幅器で増幅された放送信号を合成して出力すると共に、各増幅器から出力される放送信号を合成してフィードバック信号として励振器に出力するようにしている。
【０００４】
しかしながら、実際には、増幅器の故障や断線等により、増幅器から信号が出力されない場合がある。このような場合、合成するはずの増幅信号の系統が存在しないため、励振器に入力するフィードバック信号のレベルが低下してしまう。変動したフィードバック信号が励振器に入力されると、励振器は、そのフィードバック信号に追随して補償処理を行うため、補償処理が不完全となり、増幅器から歪んだ放送信号が送出されてしまう。
【特許文献１】特開２００７−２０８６４４号公報
【発明の開示】
【発明が解決しようとする課題】
【０００５】
以上のように、従来の放送用送信装置では、増幅器の故障等によるフィードバック信号の変動が生じた場合、励振器の非線形歪み補償処理が不完全となり、歪んだ放送信号が送信されてしまうおそれがあった。
【０００６】
そこで、本発明の目的は、増幅器に故障等が生じた場合でも、励振器へのフィードバック信号の変動を回避して、励振器の非線形歪み補償を確実に実行させることのできる放送用送信装置を提供することにある。
【課題を解決するための手段】
【０００７】
上記目的を達成するため、本発明に係る放送用送信装置は、放送信号にフィードバック信号に応じた非線形歪み補償を施す励振器と、前記励振器から出力される放送信号をＮ（Ｎは２以上の自然数）系統に分配する分配器と、前記Ｎ系統に分配された放送信号をそれぞれ同一利得で増幅するＮ個の増幅器と、前記Ｎ個の増幅器から出力される放送信号を合成して出力する合成器と、前記Ｎ個の増幅器の出力をそれぞれ１／Ｎに減衰し合成して前記フィードバック信号として前記励振器に出力するフィードバック信号生成手段とを具備し、前記フィードバック信号生成手段は、前記Ｎ個の増幅器それぞれの出力状態を監視し、いずれかの出力に異常を検知したとき、前記合成出力に代わって正常出力の１系統のみを前記フィードバック信号として出力することを特徴とする。
【０００８】
これにより、いずれかの系統の増幅器に故障等が生じてフィードバック信号生成手段に入力される増幅信号が減少した場合でも、フィードバック信号生成手段からは一定のレベルのフィードバック信号が継続して励振器に供給されるようになり、励振器では増幅器の非線形歪みを確実に補償することが可能となる。
【発明の効果】
【０００９】
この発明によれば、増幅器に故障等が生じた場合でも、励振器へのフィードバック信号の変動を回避して、励振器の非線形歪み補償を確実に実行させることのできる放送用送信装置を提供することができる。
【発明を実施するための最良の形態】
【００１０】
以下、図面を参照しながら本発明の実施の形態を詳細に説明する。
【００１１】
図１は、本発明の一実施形態に係る放送用送信装置の構成を示すブロック図である。図１において、入力される放送信号は、励振器１０でフィードバック信号に基づいて非線形歪み補償が施された後、分配器２０で２系統に分岐され、各系統に設けられた同一特性、同一利得の電力増幅器３０−１，３０−２で電力増幅される。これらの電力増幅器３０−１，３０−２から出力される放送信号は、帯域通過フィルタ（ＢＰＦ：Band-pass filter）４０−１，４０−２によって所定の帯域に制限された後、合成器５０で合成されて送信出力される。
【００１２】
また、上記電力増幅器３０−１，３０−２で増幅された放送信号は、それぞれフィードバック信号生成部６０にも供給される。このフィードバック信号生成部６０は、２系統の電力増幅器３０−１，３０−２で電力増幅された放送信号を取り込み、それぞれ１／Ｎに減衰した後に合成し、フィードバック信号として励振器１０に出力するものである。そして、各系統の電力増幅器３０−１，３０−２それぞれの出力状態を監視し、いずれかの系統の出力に異常を検知したとき、上記合成出力に代わって正常出力の１系統のみをフィードバック信号として出力する。
【００１３】
図２は上記フィードバック信号生成部６０の具体的な構成を示すもので、入力側切替器６１−１，６１−２と、伝送線６２−１，６２−２と、減衰器６３−１，６３−２と、合成器６４と、出力側切替器６５と、制御部６６とを備える。
【００１４】
入力側切替器６１−１は、制御部６６からの指示に従って、電力増幅器３０−１からの増幅信号１を伝送線６２−１、減衰器６３−１のいずれかに選択的に導出する。同様に、入力側切替部６１−２は、制御部６６からの指示に従って、電力増幅器３０−２からの増幅信号２を伝送線６２−２、減衰器６３−２のいずれかに選択的に導出する。
【００１５】
上記減衰器６３−１，６３−２は、増幅信号１，２をそれぞれ取り込み、１／２（３ｄＢ）に減衰する。減衰された信号は、合成器６４で合成されて出力される。すなわち、減衰器６３−１，６３−２における減衰量は、増幅信号の系統数に基づいて設定される。本実施形態ではその系統数が２系統であるため、減衰器６３−１，６３−２は、入力される増幅信号１，２のレベルをそれぞれ１／２に減少（３ｄＢ減衰）するように設定されている。
【００１６】
出力側切替器６５は、制御部６６からの指示に従って、伝送線６２−１からの信号、合成器６４からの信号、伝送線６２−２からの信号を選択的に導出するもので、その導出信号はフィードバック信号として励振器１０に供給される。
【００１７】
上記制御部６６は、入力される増幅信号１，２の有無を判断することで異常発生を監視し、その監視結果に基づいて図３に示すテーブルに従って切替器６１−１，６１−２，６５を切替制御する。すなわち、増幅信号１，２がいずれも正常に入力されるときは、入力側切替器６１−１，６１−２に対し、それぞれ増幅信号１，２を減衰器６３−１，６３−２に導出するように切替制御し、出力側切替器６５に対し、合成器６４の出力を選択出力するように切替制御する。増幅信号１のみが入力され、増幅信号２がダウンしている場合には、入力側切替器６１−１に対し、増幅信号１を伝送線６２−１に導出するように切替制御すると共に、出力側切替器６５に対し、伝送線６２−１からの増幅信号１を選択出力するように切替制御する。逆に、増幅器１がダウンし、増幅信号２のみが入力される場合、入力側切替器６１−２に対し、増幅信号２を伝送線６２−２に導出するように切替制御すると共に、出力側切替器６５に対し、伝送線６２−２からの増幅信号２を選択出力するように切替制御する。尚、ダウンしている経路については、入力側切替器６１−１，６１−２の接続は減衰器側、伝送線側のどちらであってもよい。
【００１８】
以上のように、上記一実施形態の構成によれば、電力増幅器３０−１，３０−２からの増幅信号１，２をフィードバック信号生成部６０に取り込み、両信号の有無を監視して、いずれも正常に入力されるときは各増幅信号１，２を入力側切替器６１−１，６１−２によって減衰器６３−１，６３−２に導き、信号のレベルを１／２に減少した後、合成器６４で合成して、フィードバック信号として励振器１０に出力する。電力増幅器３０−１又は増幅器３０−２の故障等により増幅信号１又は増幅信号２の一方がダウンすると、フィードバック信号生成部６０では、これを検知して、正常に入力される増幅信号のみを伝送線を通じて導出し、フィードバック信号として励振器１０に出力する。これにより、増幅信号１，２のいずれか一方がダウンした場合でも、共に正常に入力される場合と同じレベルのフィードバック信号を励振器１０に出力することが可能となる。
【００１９】
したがって、電力増幅器３０−１，３０−２のいずれかが故障した場合でも、フィードバック信号の変動を回避することができ、励振部１０における非線形歪み補償を確実に実行することができ、非線形歪みを生じた放送信号が送信させる危険性を回避することができる。
【００２０】
なお、この発明は上記実施形態に限定されるものではない。例えば、上記実施形態では、放送信号を２系統の電力増幅器で増幅し合成する例を説明しているが、放送信号を２系統以上で増幅する場合であっても同様に実施可能である。
【００２１】
さらに、この発明は実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素からいくつかの構成要素を削除してもよい。
【図面の簡単な説明】
【００２２】
【図１】本発明に係る放送用送信装置の一実施形態の構成を示すブロック図。
【図２】上記実施形態のフィードバック信号生成部の構成を示すブロック図。
【図３】上記実施形態の制御部の切替制御内容をテーブルとして示す図。
【符号の説明】
【００２３】
１０…励振部、２０…分配器、３０−１，３０−２…電力増幅器、４０−１，４０−２…ＢＰＦ、５０…合成器、６０…フィードバック信号生成部、６１−１，６１−２…入力側切替器、６２−１，６２−２…伝送線、６３−１，６３−２…減衰器、６４…合成器、６５…出力側切替器、６６…制御部。
【図１】
2009118433.tif 000003
【図２】
2009118433.tif 000004
【図３】
2009118433.tif 000005